(57)【要約】      （修正有）【課題】開口部に設置する網体のサイズを自由に調整することができ、開口部に簡単に設置することができる鳥獣害防止具を提供する。【解決手段】閉塞プレート１０を継ぎ金具２０にて連結して連結プレート１００を構成する。開口部に連結プレートを懸吊する吊り金具３０を設ける。閉塞プレートはパンチグメタルにて構成する。開口部の形状に合わせて閉塞プレートを重ねる。重ねた閉塞プレートのパンチング孔の位置に連結ボルトを挿通する。連結ボルトと連結板とで継ぎ金具を構成する。【選択図】図１
2018174859.tif 000002
【特許請求の範囲】
【請求項１】
開口部を閉塞する閉塞プレートと、隣接する閉塞プレート相互を連結して連結プレートを構成する継ぎ金具と、開口部に連結プレートを懸吊する吊り金具とを備え、鳥獣が侵入する開口部を塞ぐ鳥獣害防止具であって、
前記閉塞プレートはパンチグメタルにて構成され、前記継ぎ金具は、閉塞プレートの片面からパンチング孔に挿通する連結ボルトと、閉塞プレートの反対側で挿通ボルトにネジ止めされる連結板とで構成され、
開口部の形状に合わせて重ねた閉塞プレート相互のパンチング孔の位置を合わせて継ぎ金具で連結して連結プレートを構成することを特徴とする鳥獣害防止具。
【請求項２】
前記吊り金具は、受電設備支持用の基礎部を構成する型鋼のフランジに固定するもので、挟み込み式取付け金具にてフランジ下面に固定される側面Ｌ形の固定板体と、該固定板体にネジ止めする固定ボルトとで構成され、フランジに固定された固定板体に重合した前記連結プレートのパンチング孔に固定ボルトを挿通して固定板体に連結するように構成した請求項１記載の鳥獣害防止具。
【請求項３】
前記連結プレートの下端部にブロックを配置すると共に、該ブロックと前記連結プレートとを連結する下部固定金具を装着した請求項１記載の鳥獣害防止具。
【請求項４】
前記下部固定金具は、前記連結プレートのパンチング孔に挿通する連結ボルトと、前記ブロックの上面にネジ止めする固定ボルトと、これら連結ボルトと固定ボルトで前記連結プレートに固定される側面Ｌ形を成した固定板とで構成された請求項３記載の鳥獣害防止具。
【発明の詳細な説明】
【技術分野】
【０００１】
本発明は、例えば屋上に設置されたキュービクルの基礎部空間等に、鳥や小動物が侵入しないようにするために使用する鳥獣害防止具に関するものである。
【背景技術】
【０００２】
屋上に受電設備を設置する場合、キュービクルと称する金属製の箱に受電設備を収納し、型鋼などの基礎上に設置される。このような基礎部空間に鳥や小動物が侵入することで多くの被害が生じる虞がある。
【０００３】
そこで、特許文献１に記載のごとき鳥害防止具が提案されている。この鳥害防止具は、複数の網体を連結して連結網体を構成し、この連結網体を吊り下げ金具で構造物に吊り下げて使用するものである。
【０００４】
すなわち、隣接する網体の枠線を連結金具で連結して連結網体を構成し、構造物に予め取り付けた吊り下げ金具で連結網体を吊り下げることで、鳥害防止具を組み立てながら構造物（例えば、構造物の開口部）に取り付けることが可能となるというものである。
【先行技術文献】
【特許文献】
【０００５】
【特許文献１】特許第５２４８４１６号公報
【発明の概要】
【発明が解決しようとする課題】
【０００６】
ところが、この鳥害防止具によると、隣接する網体を連結して連結網体を構成する際に、網体の枠線相互を連結金具で連結する構成になっているため、連結網体のサイズは常に連結する網体の数で制限されることになる。そのため、連結網体と開口部とに僅かな隙間が生じている場合などのように、連結網体のサイズを微調整することは困難になっていた。
【０００７】
すなわち、隙間に合わせるように網体を切断したとしても、連結網体を構成するには網体の枠線相互を連結する必要があるので、枠線がなくなった網体を連結金具で連結することは困難になる。仮に、切断した網体の枠線を利用して連結網体に連結すると、連結網体の外周囲の一部に枠線の無い脆弱な部分が形成されることになり、鳥獣の侵入を容易にする虞がある。
【０００８】
また、吊り下げ金具を構造物に取り付ける際にコンクリートビスにて吊り下げ金具を固定するので、この吊り下げ金具の設置作業に多くの手間を要するものであった。
【０００９】
そこで本発明は上述の課題を解消すべく創出されたもので、開口部に設置する網体のサイズを自由に調整することができ、しかも、開口部に簡単に設置することができる鳥獣害防止具の提供を目的とするものである。
【課題を解決するための手段】
【００１０】
上述の目的を達成すべく本発明における第１の手段は、開口部を閉塞する閉塞プレート１０と、隣接する閉塞プレート１０相互を連結して連結プレート１００を構成する継ぎ金具２０と、開口部に連結プレート１００を懸吊する吊り金具３０と、を備え、鳥獣が侵入する開口部を塞ぐ鳥獣害防止具であって、前記閉塞プレート１０はパンチグメタルにて構成され、前記継ぎ金具２０は、閉塞プレート１０の片面からパンチング孔１１に挿通する連結ボルト２１と、閉塞プレート１０の反対側で挿通ボルト２１にネジ止めされる連結板２２とで構成され、開口部の形状に合わせて重ねた閉塞プレート１０相互のパンチング孔１１の位置を合わせて継ぎ金具２０で連結して連結プレート１００を構成することにある。
【００１１】
第２の手段において、前記吊り金具３０は、受電設備支持用の基礎部を構成する型鋼ＰのフランジＰ１に固定するもので、挟み込み式取付け金具４０にてフランジＰ１下面に固定される固定板体３１と、該固定板体３１にネジ止めする固定ボルト３２とで構成され、フランジＰ１に固定された固定板体３１に重合した前記連結プレート１００のパンチング孔１１に固定ボルト３２を挿通して固定板体３１に連結するように構成したものである。
【００１２】
第３の手段は、前記連結プレート１００の下端部にブロック６０を配置すると共に、該ブロック６０と前記連結プレート１００とを連結する下部固定金具５０を装着したものである。
【００１３】
第４の手段において、前記下部固定金具５０は、前記連結プレート１００のパンチング孔１１に挿通する連結ボルト２１と、前記ブロック６０の上面にネジ止めする固定ボルト６４と、これら連結ボルト２１と固定ボルト６４で前記連結プレート１００に固定される側面Ｌ形を成した固定板５３とで構成したものである。
【発明の効果】
【００１４】
本発明の請求項１のごとく、閉塞プレート１０はパンチグメタルにて構成され、継ぎ金具２０は、閉塞プレート１０の片面からパンチング孔１１に挿通する連結ボルト２１と、閉塞プレート１０の反対側で挿通ボルト２１にネジ止めされる連結板２２とで構成され、開口部の形状に合わせて重ねた閉塞プレート１０相互のパンチング孔１１の位置を合わせて継ぎ金具２０で連結して連結プレート１００を構成することにより、閉塞プレート１０を任意に組み合わせて連結プレート１００のサイズを自由に調整することができる。
【００１５】
この結果、複数枚の閉塞プレート１０を組み合わせて継ぎ金具２０で連結することで、鳥獣が侵入する開口部の形状や面積に合わせた連結プレート１００を簡単に構成することができる。
【００１６】
請求項２のように、吊り金具３０は、受電設備支持用の基礎部を構成する型鋼ＰのフランジＰ１に固定するもので、挟み込み式取付け金具４０にてフランジＰ１下面に固定される側面Ｌ形の固定板体３１と、該固定板体３１にネジ止めする固定ボルト３２とで構成され、フランジＰ１に固定された固定板体３１に重合した前記連結プレート１００のパンチング孔１１に固定ボルト３２を挿通して固定板体３１に連結するように構成したことで、受電設備支持用基礎部の開口部を簡単に塞ぐことができる。
【００１７】
また、請求項３のごとく、連結プレート１００の下端部にブロック６０を配置すると共に、該ブロック６０と前記連結プレート１００とを連結する下部固定金具５０を装着することで、特に、連結プレート１００の下端部のずれを抑制することが可能になる。したがって、鳥獣が侵入し易い開口部の下端部を確実に塞ぐことができる。
【００１８】
請求項４のように、下部固定金具５０は、前記連結プレート１００のパンチング孔１１に挿通する連結ボルト２１と、前記ブロック６０の上面にネジ止めする固定ボルト６４と、これら連結ボルト２１と固定ボルト６４で前記連結プレート１００に固定される側面Ｌ形を成した固定板５３とで構成したことで、従来使用されているブロック６０を利用して連結プレート１００を容易に固定することができるものである。
【図面の簡単な説明】
【００１９】
【図１】本発明の使用状態を示す正面図である。
【図２】本発明の装着状態を示す要部側面図である。
【図３】本発明の閉塞プレートを示す正面図である。
【図４】本発明の閉塞プレートのパンチング孔を示す要部拡大図である。
【図５】本発明の継ぎ金具を示す分解斜視図である。
【図６】本発明の吊り金具を示す分解斜視図である。
【図７】本発明の下部固定金具を示す分解斜視図である。
【発明を実施するための形態】
【００２０】
本発明鳥獣害防止具は、鳥や獣が侵入する開口部を塞ぐもので、特に、受電設備支持用の基礎部に形成される開口部を塞ぐように構成されている。本発明の主な構成として閉塞プレート１０、継ぎ金具２０、吊り金具３０を備えている（図１参照）。
【００２１】
閉塞プレート１０は、パンチグメタルにて構成される板状部材である（図３参照）。特に、屋外に設置するので、パンチングメタルの表面に、亜鉛を主とし約１１％のアルミニウムと約３％のマグネシウムと微量のシリコンとからなる高耐食性めっきを施した高耐食性鋼板が好適である。図示例では、帯板状の閉塞プレート１０を使用している。このとき、閉塞プレート１０の長さが同一で幅の寸法が異なる２種類の閉塞プレート１０を用意しておくと、効率良く組み合わせることが可能になる（同図（イ）、（ロ）参照）。この閉塞プレート１０には、多数のパンチング孔１１が規則的に形成されている（図４参照）。そして、閉塞プレート１０を組み合わせて連結プレート１００を構成する際にこのパンチング孔１１を重ねて継ぎ金具２０で連結するものである。
【００２２】
継ぎ金具２０は、隣接する閉塞プレート１０相互を連結して連結プレート１００を構成する連結部材である（図５参照）。この継ぎ金具２０は、連結ボルト２１と連結板２２とで構成されている。連結ボルト２１は、閉塞プレート１０のパンチング孔１１に挿通するボルト状部材で、連結板２２は、閉塞プレート１０の反対側で挿通ボルト２１にネジ止めされる板状部材である。
【００２３】
図示の連結板２２は、帯板状を成し、長手端部に一対のネジ孔２２Ａを形成したものである（図５参照）。このネジ孔２２Ａは、閉塞プレート１０のパンチング孔１１の径や間隔に合わせて形成されている。尚、連結板２２の形状は図示例限られるものではなく、この他、１本の連結ボルト２１を固定する連結板２２や、３本以上の連結ボルト２１を固定する連結板２２を使用することも可能である。
【００２４】
そして、開口部の形状に合わせて重ねた閉塞プレート１０相互のパンチング孔１１の位置を合わせて連結ボルト２１を挿通し、連結板２２にネジ止めすることで、複数枚の閉塞プレート１０が連結された連結プレート１００を構成する（図２参照）。
【００２５】
吊り金具３０は、連結プレート１００を懸吊する部材であり、受電設備支持用の基礎部を構成する型鋼ＰのフランジＰ１に固定する構成を成している（図２参照）。図示の吊り金具３０は、固定板体３１と固定ボルト３２とで構成したもので、この固定板体３１はフランジＰ１下面に固定する板状部材である。
【００２６】
この固定板体３１は、フランジＰ１に固定する挟み込み式取付け金具４０とフランジＰ１下面との間に挟着固定するものである（図２参照）。図示の挟み込み式取付け金具４０は、側面Ｕ字形状を成した金具で当接腕部４１と緊締腕部４２とを形成し、フランジＰ１の下面に当接腕部４１を当て、フランジＰ１の上面で緊締腕部４２に緊締ボルト４３をネジ止めするものである。
【００２７】
図示の固定板体３１は、フランジＰ１に固定するために、フランジＰ１下面と当接腕部４１との間に挟着される挟着片３１Ａと、この挟着片３１Ａからに上方に向けて屈曲延長され、挟み込み式取付け金具４０の緊締ボルト４３を挿通するボルト挿通孔３１Ｃを形成したボルト挿通片３１Ｂと、挟着片３１Ａから延長され型鋼Ｐの側面に当接する側面形の係止片３１Ｄと、を形成している（図６参照）。更に、挟着片３１Ａから下方に重合片３１Ｅが屈曲延長され、この重合片３１Ｅに連結プレート１００に重ねる。重合片３１Ｅには、パンチング孔１１の径や間隔に合わせてネジ孔３１Ｆが形成されている。
【００２８】
一方、固定ボルト３２は、固定板体３１の重合片３１Ｅにネジ止めするボルト状部材である。そして、フランジＰ１下面に挟着片３１Ａを挟着固定すると共に、重合片３１Ｅに連結プレート１００を重合する（図２参照）。更に、この連結プレート１００のパンチング孔１１に固定ボルト３２を挿通して重合片３１Ｅのネジ孔３１Ｆにネジ止めすると、連結プレート１００がフランジＰ１に吊り下げられるものである。尚、この固定ボルト３２や継ぎ金具２０の連結ボルト２１は、パンチング孔１１に挿通可能な同一径のボルトを使用することができる。
【００２９】
また、連結プレート１００の下端部にブロック６０を配置することも可能である（図２参照）。この場合、このブロック６０と連結プレート１００とを連結する下部固定金具５０を装着することで、連結プレート１００の下端部のずれを抑制することが可能になる。
【００３０】
下部固定金具５０は、連結ボルト２１と、固定ボルト６４と、固定板５３とを備えた構成である。連結ボルト２１は、継ぎ金具２０の連結板２２をパンチング孔１１にネジ止めする連結ボルト２１と同じものを使用することで、使用部材の数を合理化している。固定ボルト６４は、ブロック６０の上面に側面Ｌ形の固定板５３をネジ止めするものである。
【００３１】
図示の固定板５３は、プレート固定片５１と、ブロック固定片５２を備えた側面Ｌ形の金具である（図７参照）。すなわちプレート固定片５１は、連結プレート１００に重合する板状を成し、継ぎ金具２０の連結ボルト２１を挿通する長孔状のネジ挿通孔５１Ａを形成している。一方、ブロック固定片５２はコンクリートブロック６０の上面に載置する板状を成すもので、ネジ挿通孔５２Ａを形成している。そして、プレート固定片５１に重ねた連結プレート１００の裏面に継ぎ金具２０の連結板２２を配置して連結ボルト２１で連結する（図２参照）。更に、ブロック固定片５２を固定ボルト６４でブロック６０に固定する構成である。
【００３２】
図示のブロック６０は、上面に固定溝６１が形成され、この固定溝６１内にリップ溝形鋼６２が固定されたコンクリートブロックである（図２参照）。そして、このリップ溝形鋼６２のリップ部６２Ａに係止する係止ナット６３に固定ボルト６４をネジ止めする構成である。このブロック６０の構成も図示例に限られるものではなく、材質や他の構成への変更も可能である。
【００３３】
次に、例えば受電設備支持用の基礎部に形成される開口部を塞ぐ手順の一例を説明する。まず開口部を形成している型鋼Ｐに閉塞プレート１０を吊り下げる。次に開口部が概ね塞がれるまで、この閉塞プレート１０の下に他の閉塞プレート１０を順次連結する。そして、開口部が小さくなったところで、小型の閉塞プレート１０や切断した閉塞プレート１０を連結することで、開口部全体を塞ぐ連結プレート１００を構成する。このとき、開口部に配管やケーブルラック等が設置されている場合は、該当箇所の閉塞プレート１０を配管やケーブルラック等の外形に合わせて切断する。更に、連結プレート１００の下端部にブロック６０を設置して、連結プレート１００の下端部をブロック６０に固定する。尚、この手順はあくまで一例であり、現場の状況に応じて任意に変更することが可能である。また、本発明の構成は図示例に限定されるものではない。
【符号の説明】
【００３４】
Ｐ  型鋼
Ｐ１  フランジ
１０  閉塞プレート
１１  パンチング孔
２０  継ぎ金具
２１  連結ボルト
２２  連結板
２２Ａ  ネジ孔
３０  吊り金具
３１  固定板体
３１Ａ  挟着片
３１Ｂ  ボルト挿通片
３１Ｃ  ボルト挿通孔
３１Ｄ  係止片
３１Ｅ  重合片
３１Ｆ  ネジ孔
３２  固定ボルト
４０  挟み込み式取付け金具
４１  当接腕部
４２  緊締腕部
４３  緊締ボルト
５０  下部固定金具
５１  プレート固定片
５１Ａ  ネジ挿通孔
５２  ブロック固定片
５２Ａ  ネジ挿通孔
５３  固定板
６０  ブロック
６１  固定溝
６２  リップ溝形鋼
６２Ａ  リップ部
６３  係止ナット
６４  固定ボルト
１００  連結プレート
【図１】
2018174859.tif 000003
【図２】
2018174859.tif 000004
【図３】
2018174859.tif 000005
【図４】
2018174859.tif 000006
【図５】
2018174859.tif 000007
【図６】
2018174859.tif 000008
【図７】
2018174859.tif 000009
【手続補正書】
【提出日】平成30年4月25日(2018.4.25)
【手続補正１】
【補正対象書類名】特許請求の範囲
【補正対象項目名】請求項１
【補正方法】変更
【補正の内容】
【請求項１】
開口部を閉塞する閉塞プレートと、隣接する閉塞プレート相互を連結して連結プレートを構成する継ぎ金具と、開口部に連結プレートを懸吊する吊り金具とを備え、鳥獣が侵入する開口部を塞ぐ鳥獣害防止具であって、
前記閉塞プレートはパンチングメタルにて構成され、前記継ぎ金具は、閉塞プレートの片面からパンチング孔に挿通する連結ボルトと、閉塞プレートの反対側で挿通ボルトにネジ止めされる連結板とで構成され、
開口部の形状に合わせて重ねた閉塞プレート相互のパンチング孔の位置を合わせて継ぎ金具で連結して連結プレートを構成することを特徴とする鳥獣害防止具。
【手続補正２】
【補正対象書類名】特許請求の範囲
【補正対象項目名】請求項４
【補正方法】変更
【補正の内容】
【請求項４】
前記下部固定金具は、前記連結プレートのパンチング孔に挿通する連結ボルトと、前記ブロックの上面にネジ止めする固定ボルトと、これら連結ボルトと固定ボルトで前記連結プレートと前記ブロックとに固定される側面Ｌ形を成した固定板とで構成された請求項３記載の鳥獣害防止具。
【手続補正３】
【補正対象書類名】明細書
【補正対象項目名】００１０
【補正方法】変更
【補正の内容】
【００１０】
上述の目的を達成すべく本発明における第１の手段は、開口部を閉塞する閉塞プレート１０と、隣接する閉塞プレート１０相互を連結して連結プレート１００を構成する継ぎ金具２０と、開口部に連結プレート１００を懸吊する吊り金具３０と、を備え、鳥獣が侵入する開口部を塞ぐ鳥獣害防止具であって、前記閉塞プレート１０はパンチングメタルにて構成され、前記継ぎ金具２０は、閉塞プレート１０の片面からパンチング孔１１に挿通する連結ボルト２１と、閉塞プレート１０の反対側で挿通ボルト２１にネジ止めされる連結板２２とで構成され、開口部の形状に合わせて重ねた閉塞プレート１０相互のパンチング孔１１の位置を合わせて継ぎ金具２０で連結して連結プレート１００を構成することにある。
【手続補正４】
【補正対象書類名】明細書
【補正対象項目名】００１３
【補正方法】変更
【補正の内容】
【００１３】
第４の手段において、前記下部固定金具５０は、前記連結プレート１００のパンチング孔１１に挿通する連結ボルト２１と、前記ブロック６０の上面にネジ止めする固定ボルト６４と、これら連結ボルト２１と固定ボルト６４で前記連結プレート１００と前記ブロック６０とに固定される側面Ｌ形を成した固定板５３とで構成したものである。
【手続補正５】
【補正対象書類名】明細書
【補正対象項目名】００１４
【補正方法】変更
【補正の内容】
【００１４】
本発明の請求項１のごとく、閉塞プレート１０はパンチングメタルにて構成され、継ぎ金具２０は、閉塞プレート１０の片面からパンチング孔１１に挿通する連結ボルト２１と、閉塞プレート１０の反対側で挿通ボルト２１にネジ止めされる連結板２２とで構成され、開口部の形状に合わせて重ねた閉塞プレート１０相互のパンチング孔１１の位置を合わせて継ぎ金具２０で連結して連結プレート１００を構成することにより、閉塞プレート１０を任意に組み合わせて連結プレート１００のサイズを自由に調整することができる。
【手続補正６】
【補正対象書類名】明細書
【補正対象項目名】００１８
【補正方法】変更
【補正の内容】
【００１８】
請求項４のように、下部固定金具５０は、前記連結プレート１００のパンチング孔１１に挿通する連結ボルト２１と、前記ブロック６０の上面にネジ止めする固定ボルト６４と、これら連結ボルト２１と固定ボルト６４で前記連結プレート１００と前記ブロック６０とに固定される側面Ｌ形を成した固定板５３とで構成したことで、従来使用されているブロック６０を利用して連結プレート１００を容易に固定することができるものである。
【手続補正７】
【補正対象書類名】明細書
【補正対象項目名】００２１
【補正方法】変更
【補正の内容】
【００２１】
閉塞プレート１０は、パンチングメタルにて構成される板状部材である（図３参照）。特に、屋外に設置するので、パンチングメタルの表面に、亜鉛を主とし約１１％のアルミニウムと約３％のマグネシウムと微量のシリコンとからなる高耐食性めっきを施した高耐食性鋼板が好適である。図示例では、帯板状の閉塞プレート１０を使用している。このとき、閉塞プレート１０の長さが同一で幅の寸法が異なる２種類の閉塞プレート１０を用意しておくと、効率良く組み合わせることが可能になる（同図（イ）、（ロ）参照）。この閉塞プレート１０には、多数のパンチング孔１１が規則的に形成されている（図４参照）。そして、閉塞プレート１０を組み合わせて連結プレート１００を構成する際にこのパンチング孔１１を重ねて継ぎ金具２０で連結するものである。